(57)【要約】【課題】      互いに連結できるように、筆記具本体の外側面に係合突部と係合凹部からなる筆記具用の筆記具連結部材を提供する。【解決手段】      筆記具同士を連結するための連結部材として、筆記具の外側面の任意の箇所に係合突部を設け、係合突部と嵌合または係合する係合凹部を外側面の任意の箇所に設けた構造である。また、係合突部と係合凹部は、筆記具本体の蓋体として装着されるキャップの外側面に設けられた構造でもある。【選択図】  図１
2006305829.tif 000002
【特許請求の範囲】
【請求項１】
筆記具同士を連結するための連結部材として、筆記具の外側面の任意の箇所に係合突部を設け、該係合突部と嵌合または係合する係合凹部を外側面の任意の箇所に設けたことを特徴とする筆記具連結部材
【請求項２】
前記係合突部と前記係合凹部は、筆記具本体の蓋体として装着されるキャップの外側面に設けられたことを特徴とする請求項１記載の筆記具連結部材
【請求項３】
前記係合突部と前記係合凹部は、筆記具に嵌合若しくは装着する着脱自在の装着部材に設けたことを特徴とする請求項１記載の筆記具連結部材
【請求項４】
前記係合突部若しくは係合凹部は、前記係合突部若しくは係合凹部を設けた面と対向する外側面に設けられることを特徴とする請求項１〜３記載の筆記具連結部材
【請求項５】
前記係合突部は、クリップと兼用となる縦長の係合突部であることを特徴とする請求項１〜４記載いずれかの筆記具連結部材
【請求項６】
前記係合突部若しくは前記係合凹部が嵌合係止できるように弾力性を有する樹脂素材で形成されていることを特徴とする請求項１〜５いずれか記載の筆記具連結部材
【請求項７】
前記キャップは、筒体からなり上部の外側面には前記係合突部となるクリップを設けるとともに、キャップの上部の側面の任意の箇所に前記係合凹部となる切欠部を設けたことを特徴とする請求項２記載の筆記具連結部材
【発明の詳細な説明】
【技術分野】
【０００１】
本発明は、筆記具同士を連結接続する筆記具連結部材に関し、特に係合突部と係合凹部を設けて筆記具同士を連結することができる筆記具連結部材に関する。
【背景技術】
【０００２】
筆記具には様々なものがあり、例えば蛍光ペンや、ボールペン、シャープペンシル等が広く知られている。複数色の蛍光ペンやボールペン等は一般的に専用の収納袋に入れられて保管されている。ペンを使用する際には、収納袋からペンを取り出して使用するのが通例である。そのため、何色も使い分ける際には、色を変える毎に袋から取り出す作業が必要となり、手間がかかるという問題があった。
【０００３】
ペンの先端に装着してペン先を保護するキャップは、様々な種類の構造のものが開発されている。キャップはペンの先端を保護するだけではなく、クリップを装備しており、クリップによって衣服や書類にクリップ係止できる構成である。提案されている技術として、実開平５−８２５８６号に開示されるような筆記具のキャップが知られている。
【０００４】
実開平５−８２５８６号に開示されている技術は、複数のキャップ本体を弾性力を有するＵ字若しくはＶ字上の連結帯で接続した構成である。これにより、複数本のペンを使用してもキャップが単体でなくなることはなく、さらにキャップ同士が接続しているために、連結帯により突起等に係止できる構成である。しかしながら、この構造のキャップは、１本のペン単体で保管することはできず、また、キャップ同士が接続しているため、文字を書く際には必ずキャップを外さなければならない問題があった。
【０００５】
そこで、筆記具同士を簡単に連結することができる連結部材のある筆記具の開発が待たれていた。
【特許文献１】実開平５−８２５８６号
【発明の開示】
【発明が解決しようとする課題】
【０００６】
上記問題を解決するために本発明の筆記具連結部材は、互いに連結できるように、筆記具本体の外側面に係合突部と係合凹部からなる筆記具用の筆記具連結部材を提供することを目的としている。
【課題を解決するための手段】
【０００７】
上記目的を達成するために本発明に係る筆記具連結部材は、筆記具同士を連結するための連結部材として、筆記具の外側面の任意の箇所に係合突部を設け、該係合突部と嵌合または係合する係合凹部を外側面の任意の箇所に設けた構造である。また、前記係合突部と前記係合凹部は、筆記具本体の蓋体として装着されるキャップの外側面に設けられた構造でもある。また、前記係合突部と前記係合凹部は、筆記具に嵌合若しくは装着する着脱自在の装着部材に設けた構造でもある。さらに、前記係合突部若しくは係合凹部は、前記係合突部若しくは係合凹部を設けた面と対向する外側面に設けられる構造でもある。
【０００８】
前記係合突部は、クリップと兼用となる縦長の係合突部でもある。また、前記係合突部若しくは前記係合凹部が嵌合係止できるように弾力性を有する樹脂素材で形成されている構造でもある。さらに、前記キャップは、筒体からなる上部の外側面には前記係合突部となりクリップを設けるとともに、キャップの上部の側面の任意の箇所に前記係合凹部となる切欠部を設けた構造でもある。
【発明の効果】
【０００９】
本発明に係る筆記具連結部材は、上記詳述した通りの構成であるので、以下のような効果がある。
１  係合突部と係合凹部とからなる筆記具連結部材を筆記具に設けることにより、筆記具同士を連結させることができる。
２  キャップの外側面に筆記具連結部材を設けることにより、キャップ同士を連結させることができる。
３  装着部材に係合突起と係合凹部を設けることにより、どのような筆記具も連結させることが可能である。
４  筆記具の外側面に係合突部と係合凹部を対向するように設けることにより、綺麗に一列に連結させることが可能である。
５  クリップを係合突部とすることにより、簡素化した筆記具連結部材を提供することができる。
６  係合突部若しくは係合凹部を弾力性を有した樹脂素材で形成することにより、嵌合係止させることが可能である。
７  キャップを筒体として、係合突部をクリップとし、キャップの上部に切欠を設けることにより、クリップで連結ができる筆記具連結部材を提供することができる。
【発明を実施するための最良の形態】
【００１０】
以下本発明にかかる連結キャップを図面に示す実施例に基づいて詳細に説明する。図１は筆記具連結部材の全体を示す正面断面図であり、図２は筆記具連結部材が設けられたキャップの正面断面図であり、図３は筆記具連結部材が設けられたキャップの側面図であり、図４は筆記具連結部材が設けられたキャップの平面図である。図５は筆記具連結部材が設けられたキャップを連結した状態の正面図であり、図６は筆記具連結部材が設けられたキャップを連結した状態の平面図である。
本発明の筆記具連結部材１０は、筆記具本体２０と、係合突部３０と、係合凹部４０とからなる。また、筆記具連結部材１０は、キャップ５０に設けられることもある。
【００１１】
筆記具本体２０は、インクが収容されているボールペンリフィルや蛍光インク収容部や鉛筆の芯収容部が内包され、筆記具本体の片端にはチップや、インクを染み込ませておく先端部や、芯を送り出す軸先端である先端部２２が装備されている。筆記具本体２０自体は、従来から製造されているボールペン、蛍光ペン、シャープペンシル等をそのまま応用することができる。
【００１２】
係合突部３０は、筆記具本体２０の外側面に設けられる突起であり、係合凹部４０と雌雄の関係で嵌合する構成である。係合突部３０は、筆記具本体２０の外側面であれば、任意の場所に設けることが可能であるが、筆記具の使用用途から係合突部３０は先端部とは逆の端部側の外側面に設けることが望ましい。係合突部３０の形状は係合凹部４０と嵌合若しくは係合する構造であればどのような形でもよく、例えば球形状の突起や先端が略三角錐型の突起等が考えられる。
また、係合突部３０をクリップとすることも可能である。クリップは、従来から書類束や衣服に係止させるために装備されるものであり、係合凹部４０がクリップと嵌合若しくは係合できる構造であればよい。
【００１３】
係合凹部４０は、係合突部３０に嵌合若しくは係合できる形状であればよい。形状は特に限定はなく、筆記具本体２０の外側面の表面に係合突部３０と嵌合する係合凹部を形成することも考えられるし、また、外側面に嵌合孔若しくは係合孔となる係合凹部を形成することも考えられる。係合凹部４０は、筆記具本体２０の外側面に形成されるのであれば、任意の箇所に形成することが可能であるが、筆記具を連結することを考えると係合突部３０の対面に設けるのが望ましい。
【００１４】
係合突部３０と係合凹部４０の素材については特に限定はないが、嵌合する際に簡単に連結着脱が可能となるように、係合突部３０若しくは係合凹部４０のどちらか一方を弾力性を有する樹脂素材で形成することも考えられる。
また、別の装着部材に係合突部と係合凹部を設けることにより、どのような筆記具にも装着部材を嵌合装着若しくは係合装着させて連結を可能とすることができる。さらに、係合突起及び係合凹部は任意の複数の箇所に設けることができる。
【００１５】
筆記具によっては、筆記具本体２０の先端部２２を保護するためのキャップ５０を装備するものもあり、この場合は、キャップ５０に係合突部３０と係合凹部４０が形成される構成としてもよい。
【実施例１】
【００１６】
本発明の筆記具連結部材１０を図面を用いて詳細に説明する。図面に開示した筆記具連結部材１０は、キャップ５０に設けられている構造である。
この実施例では、キャップ５０は筒体からなり、上部の外側面には係合突部３０となるクリップ５２が設けられている。また、係合突部３０の対面には、係合凹部４０となる略長方形状に切欠された切欠部５４が設けられている。
切欠部５４は、切削する製造方法を用いてもよいが、切欠部が形成されるようにした金型を用意して成形することも可能である。
また、キャップ５０は筒体ではあるが、筆記具の先端部１０を保護するために略中央部に遮断壁５６を形成した形状でもある。
【００１７】
この実施例のキャップ５０を連結する際には、係合突部３０となるクリップ５２をキャップ上部からキャップ内部に挿入して係合凹部４０に係合させる。また、この実施例ではクリップ５２は、キャップ５０の内壁５８に当接し嵌合する構成となっている。
キャップ５０が連結できる構造となっているので、図面で示すように複数本の筆記具を連結することが可能である。なお、図５の左２本の筆記具が説明の為に透視図となっている。
【００１８】
筆記具を連結することにより、収納時には専用の袋に入れる手間を考えずに任意の集団に連結してまとめて保管ができ、使用時には簡単に取り外して使用することが可能である。また、筆箱等のに収納する際には取り外して単体で収納することが可能である。
これにより、複数色がそろった筆記具を単体で紛失してしまうことを防ぐ効果がある。また、筆記具同士が確実に嵌合若しくは係合するため、見栄え良く保管することが可能である。
【図面の簡単な説明】
【００１９】
【図１】筆記具連結部材の全体を示す正面断面図
【図２】筆記具連結部材が設けられたキャップの正面断面図
【図３】筆記具連結部材が設けられたキャップの側面図
【図４】筆記具連結部材が設けられたキャップの平面図
【図５】筆記具連結部材が設けられたキャップを連結した状態の正面図
【図６】筆記具連結部材が設けられたキャップを連結した状態の平面図
【符号の説明】
【００２０】
１０    筆記具連結部材
２０    筆記具本体
２２    先端部
３０    係合突部
４０    係合凹部
５０    キャップ
５２    クリップ
５４    切欠部
５６    遮断壁
５８    内壁
【図１】
2006305829.tif 000003
【図２】
2006305829.tif 000004
【図３】
2006305829.tif 000005
【図４】
2006305829.tif 000006
【図５】
2006305829.tif 000007
【図６】
2006305829.tif 000008